(57)【要約】【課題】  光源の配置や光の放射方向、光の色などの選定の自由度が広く、照明の多様性が図れる。【解決手段】  洗面ボール７を有するカウンター３と、このカウンター３の下に位置しカウンター３を支持するキャビネット２２と、カウンター３を照明する照明装置２７とを備え、カウンター３は光を透過する材料から形成され、照明装置２７は多数の発光源を有し、多数の発光源はカウンター３の裏面または内部に設けられる。さらに、発光源はＬＥＤまたは光ファイバーからなる。このようにすることにより光源の配置や光の放射方向、あるいは光の色などの選定の自由度が広くなり、照明の多様性が図れる。【選択図】              図１
2005342179.tif 000002
【特許請求の範囲】
【請求項１】
洗面ボールを有するカウンターと、該カウンターの下に位置し該カウンターを支持するキャビネットと、前記カウンターを照射する照明装置とを備え、前記カウンターは光を透過する材料から形成され、前記照明装置は多数の発光源を有し、該多数の発光源は前記カウンターの裏面または下方あるいは内部に設けられてなる洗面化粧台。
【請求項２】
請求項１において、前記発光源はＬＥＤまたは光ファイバーからなる洗面化粧台。
【発明の詳細な説明】
【技術分野】
【０００１】
本発明は、集合住宅や個別住宅などに備えられる洗面化粧台に係り、特に洗面ボールを有するカウンターの照明に関するものである。
【背景技術】
【０００２】
従来の洗面化粧台としては、たとえば天板にガラスなどの透光性があり、かつ亀裂などが生じにくい材質からなる洗面ボールを設置し、この洗面ボールの下方に照明装置を配置したものが知られている（特許文献１参照）。
【０００３】
また、別の洗面化粧台として、貯水可能なボウル部を形成した洗面器または手洗器を備え、洗面器または手洗器を透光性材料で形成するとともに、洗面器または手洗器の下方に、ボウル部を通し上方へ光を照射可能な照明器を配設したものが知られている（特許文献２参照）。
【特許文献１】実公昭５６−５４８４８号公報
【特許文献２】実開平２−１３９５７９号公報
【発明の開示】
【発明が解決しようとする課題】
【０００４】
しかしながら、従来の洗面化粧台は、いずれも洗面ボールないしカウンターが透光性を有するので、顔や手元が明るく照らされるが、光源の配置や光の放射方向、あるいは光の色などの変化に乏しく、照明が単調になり多様性に欠けるおそれがあった。
【０００５】
本発明の課題は、光源の配置や光の放射方向、あるいは光の色などの選定の自由度が広く、照明の多様性が図れることである。
【課題を解決するための手段】
【０００６】
上記課題を解決するため、本発明は、洗面ボールを有するカウンターと、該カウンターの下に位置し該カウンターを支持するキャビネットと、前記カウンターを照射する照明装置とを備え、前記カウンターは光を透過する材料から形成され、前記照明装置は多数の発光源を有し、該多数の発光源は前記カウンターの裏面または下方あるいは内部に設けられてなることを特徴とする。
【０００７】
このようにすることにより、発光源は多数であるので、その並べ方と光の放射の向きを変えることにより種々の文字や絵柄、模様を表現できる。カウンターは光を透過する材料から形成され、その材料を変えることにより、また多数の発光源をカウンターの裏面または下方あるいは内部に設けることにより、カウンターの表面から種々の質感の光、たとえば柔らかな光や淡い光を放射させることができるとともに、カウンターの表面に種々の文字や絵柄、模様も表示できる。
【０００８】
また、発光源は、ＬＥＤ（発光ダイオード）または光ファイバーからなると良い。ＬＥＤや光ファイバーの発光源は、熱の発生が少なくカウンターが加熱されることがないので、加熱による割れなどがほとんどない。さらに、光の色や指向性を選定する自由度が広く、照明の多様性が図れる。また、発光源を小さくできるので限られた箇所に多数の発光源を設けることができる。
【０００９】
次に本発明を構成する各要件についてさらに詳しく説明する。本発明の洗面化粧台は、洗面室、脱衣所、その他の室などに置かれる。さらに、洗面化粧台は、洗面ボールを有するカウンターの他に、この下に位置しカウンターを支持するキャビネットを備える。また、カウンターの上に位置し壁に固定されるミラーキャビネットやミラーキャビネットの上に設けられる上部照明装置、この照明装置の上に配置されるウォールキャビネットなどを備えても良い。
【００１０】
カウンターは、洗面ボールを有するが、カウンターと洗面ボールとを別体として形成し、洗面ボールをカウンターに取り付けないし固定しても良い。洗面ボールを有するカウンターは、光を透過する材料から形成される人造大理石（人工大理石）やガラスなどである。さらに、これらの材料は、透明、半透明としたり、乳白色のぼかしや模様などを入れることもできる。
【００１１】
人造大理石としては、ポリエステル系樹脂、不飽和ポリエステル系樹脂、アクリル系樹脂、ビニルエステル系樹脂、エポキシ系樹脂などの各種合成樹脂で、各種無機充填剤、顔料、架橋剤などを添加すると良い。これら合成樹脂の表面にはゲルコート材を塗布して艶出し面とするか、必要により研磨して艶出し処理を行っても良い。
【００１２】
照明装置は、多数の発光源を有し、この多数の発光源はカウンターの裏面に密着させてまたはカウンターの下方に離して設けられても良いし、カウンターの内部に埋め込まれて設けられても良い。発光源を設ける箇所は、洗面ボール、カウンターの平坦部分、背面側段部、バックガード（水切り部分）などで、カウンターの表面側から、文字、絵、図柄などが見えるように多数設けられる。
【００１３】
また、照明装置は、これらの文字、絵、図柄などを表示し、デザイン性の向上や癒しの効果を期待する他、顔や手元などを照らし、照明の機能を有するようにすると良い。こうすると、洗面化粧台上部の照明灯を付けずに洗面することもできる。発光源の光の色は、白、青、緑、黄、赤など任意のものを選定できる。青系や緑系などの光の色は目に対して刺激が少なく穏やかであるので、夜間照明として好ましい。
【００１４】
発光源がカウンターの裏面に密着するように設けられる場合は、接着剤や粘着テープなどにより貼着しても良い。発光源がカウンターの内部に設けられる場合は、カウンターの肉厚方向、すなわちカウンターの裏面に垂直な方向に穴を開けて発光源を埋め込むか、カウンターの成形と同時に埋め込むと良い。
【００１５】
発光源の種類としては、ＬＥＤ、光ファイバーなどが好適に使用できる。ＬＥＤは消費電力と発熱量が小さく、かつ小型のものができるので多数の発光源を限られた箇所に設ける場合に都合が良い。光ファイバーは、細い線の先端面を発光源とすることができるので、ＬＥＤと同じく、多数の発光源として使用できる。照明装置としては、多数の発光源の他に、電力供給機器、コントローラー、光ファイバーの場合は光発生機器なども含まれる。
【発明の効果】
【００１６】
本発明によれば、光源の配置や光の放射方向、あるいは光の色などの選定の自由度が広く、照明の多様性が図れる。
【発明を実施するための最良の形態】
【００１７】
以下、本発明に係る洗面化粧台の実施例を図面に基づいて詳細に説明する。なお、図１〜６において、同一または同等部分には同一符号を付けて示す。
【実施例１】
【００１８】
図５は、本実施例のカウンターを使用した洗面化粧台の正面図である。図６は、図５の右側面図である。洗面化粧台１は、集合住宅や個別住宅の洗面室、脱衣所、その他の室などに利用可能である。
【００１９】
洗面化粧台１は、洗面ボール７を有するカウンター３と、このカウンター３を支えるキャビネット２２と、カウンターの段部１８に載置されるとともに壁５０（図６）に固定されるミラーキャビネット３３とを備える。さらに、洗面化粧台１は、ミラーキャビネット３３の上に設けられる照明灯４０と、この照明灯４０の上に配置されるウォールキャビネット４２とを備える。
【００２０】
キャビネット２２は、カウンター３を支持する支持体であるとともに、引出し２３を設けて洗面用具その他の用品を収納できるようにする収納庫でもある。キャビネットの前面２４位置は、カウンターの前端１５よりも内側（奥側）に位置するが、その距離は足のつま先がカウンター３の突出部分の下に位置することができるように設定される。
【００２１】
カウンターの幕板１６は、キャビネット２２の上部前面を覆うもので平板状である。幕板１６の下に引出し２３が設けられる。引出し２３の前面と幕板１６の前面は、略面一に形成される。
【００２２】
図５、６に示すように、ミラーキャビネット３３は、所定の距離をおいて配置される二つのキャビネット３４と、これらを連結し中央に位置する背面板３６とを有する。二つのキャビネット３４および背面板３６の前面には鏡が設けられる。キャビネット３４の前面にはミラー扉３８が取り付けられ、背面板３６には中央鏡３７が固定される。
【００２３】
さらに、二つのキャビネット３４の下には、それぞれ別の扉３９を有する。中央鏡３７の表面位置は、段部１８の後側でバックガード２０の上に位置するので、二つの別の扉３９の間の段部１８に用品を置くことができる。ミラーキャビネット３３の上部手前（前面側）には下方を照射可能な照明灯４０が設けられる。
【００２４】
さらに、ミラーキャビネット３３の上にはウォールキャビネット４２が設けられる。ウォールキャビネット４２は、各種物品を収納するもので、前面に扉４４が設けられ、内部には固定棚が設けられる。照明灯４０の前側先端位置とウォールキャビネット４２の前面位置とは略一致する。
【００２５】
図１は、本発明に係る洗面化粧台の一実施例を示し、照明装置２７の発光源位置とともに示すカウンター３の平面図である。図２は、図１に示すカウンター３の正面図である。図３は、図１に示すカウンター３の右側面図である。図４は、図１に示すカウンター３の下面図である。
【００２６】
図１において、カウンター３は、洗面ボール７を有するが、カウンターと洗面ボールとを別体として形成し、洗面ボールをカウンターに取り付けても良い。さらに、カウンター３は、光を透過する材料から形成され、人造大理石（人工大理石）、光を透過する合成樹脂（光透過性合成樹脂）、あるいはガラスなどである。さらに、これらの材料は、透明、半透明としたり、乳白色のぼかしや模様などを入れることもできる。
【００２７】
人造大理石としては、ポリエステル系樹脂、不飽和ポリエステル系樹脂、アクリル系樹脂、ビニルエステル系樹脂、エポキシ系樹脂などの各種合成樹脂で、各種無機充填剤、顔料、架橋剤などを添加すると良い。これら合成樹脂の表面にはゲルコート材を塗布して艶出し面とするか、必要により研磨して艶出し処理を行う。
【００２８】
さらに、洗面ボール７は、カウンター３の表面側に開口し一体的に形成される。カウンター３の背面側には段部１８が形成される。段部１８の洗面ボール７に対応する中央部分には水切りの役目をするバックガード２０が設けられ、バックガード２０の前部は洗面用具などの用品置き台として利用できる。また、カウンター３の前面には幕板１６が形成されている。
【００２９】
因みに、洗面ボール７は、排水口８、シャワーヘッド取り付け用の孔９、水栓取り付け用の孔１０、鎖取り付け用の孔１１およびオーバーフロー用の孔１２（図２）を有する。
【００３０】
照明装置２７は、多数の発光源であるＬＥＤ２９a〜２９dと、人を感知するセンサースイッチ３０（図２）と、センサースイッチ３０が人を感知して発信する信号によりＬＥＤ２９a〜２９dをコントロールするコントローラ（図示せず）とを有する。多数のＬＥＤ２９a〜２９dは、カウンター３の内部に埋め込まれているが、カウンター３の裏面に密着させてまたは離して設けられても良い。
【００３１】
図１に示すように、本カウンターにおけるＬＥＤは、洗面ボール７の底部に楕円形状に配置されるＬＥＤ２９aおよびカウンター３の左右平坦部分に配置されるＬＥＤ２９ｂ、段部１８の前面（正面）の左右方向に配置されるＬＥＤ２９ｃ、バックガード（水切り部分）２０の前面（正面）左右方向にそって配置されるＬＥＤ２９ｄなどで、カウンター３の表面側からみて、文字、絵、図柄などが見えるように多数設けられる。
【００３２】
ＬＥＤ２９a〜２９dをカウンター３の裏面に密着するように設ける場合は、接着剤や粘着テープなどにより貼着しても良い。ＬＥＤ２９a〜２９dをカウンター３の内部に設ける場合は、カウンター３の肉厚方向、すなわちカウンター３の裏面に垂直な方向に穴を開けて発光源を埋め込むか、カウンター３の成形と同時に埋め込む。
【００３３】
以上の構造を有する本実施例の洗面化粧台１は、次のように作用する。すなわち、ＬＥＤ２９a〜２９dは、多数設けられ、その並び方、光の放射方向、あるいは光の色を変えることにより種々の文字や絵柄、模様を表現できる。カウンター３は、光を透過する材料から形成されるので多数の発光源をカウンター３の裏面または内部に設けることにより、カウンター３の表面から種々の質感の光、たとえば柔らかな光や淡い光を放射させることができる。
【００３４】
さらに、ＬＥＤ２９a〜２９dは、これらの文字、絵、図柄などを表示する他、顔や手元などを照らし、洗面化粧台上部の照明灯を付けずに洗面することもできる。また、ＬＥＤ２９a〜２９dは、消費電力と発熱量が小さく、カウンター３が加熱されることがなく、加熱による割れなどがほとんどない。さらに、発光源を小さくできるので限られた箇所に多数の発光源を設けることができる。
【００３５】
また、ＬＥＤ２９a〜２９dの光の色は、白、青、緑、黄、赤など任意のものを選定できる。青系や緑系などの光の色は目に対して刺激が少なく穏やかであるので、夜間照明として好ましい。
【００３６】
以上この発明を図示の実施例について詳しく説明したが、それを以ってこの発明をそれらの実施例のみに限定するものではなく、この発明の精神を逸脱せずして種々改変を加えて多種多様の変形をなし得ることは云うまでもない。
【産業上の利用可能性】
【００３７】
本発明の洗面化粧台は、集合住宅や個別住宅の一般用あるいはホテルなどの業務用として利用可能である。
【図面の簡単な説明】
【００３８】
【図１】本発明に係る洗面化粧台の一実施例を示し、照明装置の発光源位置とともに示すカウンターの平面図である。
【図２】図１に示すカウンターの正面図である。
【図３】図１に示すカウンターの右側面図である。
【図４】図１に示すカウンターの下面図である。
【図５】図１〜４に示したカウンターを使用した洗面化粧台の正面図である。
【図６】図５の右側面図である。
【符号の説明】
【００３９】
１  洗面化粧台
３  カウンター
７  洗面ボール
２２  キャビネット
２７  照明装置
２９a〜２９ｄ  ＬＥＤまたは光ファイバー（発光源）
【図１】
2005342179.tif 000003
【図２】
2005342179.tif 000004
【図３】
2005342179.tif 000005
【図４】
2005342179.tif 000006
【図５】
2005342179.tif 000007
【図６】
2005342179.tif 000008